(57)【要約】【課題】防虫網などのスクリーンを張るために引き出したときにコイルスプリングに蓄積された弾力でスクリーンを巻き取るようにした巻取り装置において、巻取りの速度を緩和するための制動装置を提供する。【解決手段】スクリーンを仕舞う収納枠にはスクリーンの巻取軸が内装され、その巻取軸は、スクリーンを巻き取る巻取筒と、その回転の中心軸との間にコイルスプリングが介在され、コイルスプリングの弾力に抗する中心軸に対する巻取筒の正回転によりスクリーンが引き出され且つ弾力に伴う逆回転により巻き取られるようになしてあって、その巻取軸に、コイルスプリングによる中心軸に対する巻取筒の逆回転の速度を制御する一方向制動装置が内装されている。【選択図】    図２
2007231608.tif 000002
【特許請求の範囲】
【請求項１】
スクリーンを仕舞う収納枠にスクリーンの巻取軸が内装され、その巻取軸は、スクリーンを巻き取る巻取筒と、その回転の中心軸との間にコイルスプリングが介在され、コイルスプリングの弾力に抗する中心軸に対する巻取筒の逆回転によりスクリーンが引き出され且つ弾力による正回転により巻き取られるようになしてあって、その巻取軸に、コイルスプリングによる中心軸に対する巻取筒の正回転の速度を制御する一方向制動装置が内装されていることを特徴とする網状ないし面状スクリーンの巻取り制動装置。
【請求項２】
一方向制動装置が、中心軸に対して一方向回転にのみ接続するワンウエイクラッチと、その接続軸に対する巻取筒の正回転が制動されるよう巻取筒に嵌着されるロータリーダンパとからなることを特徴とする請求項１記載の網状ないし面状スクリーンの巻取り制動装置。
【請求項３】
一方向制動装置が、巻取筒に粘性体の充填ケースを一体に嵌着し、充填ケースに中心軸と一体に回転する支軸を設け、支軸の外周または充填ケースの内周に、巻取筒の正回転に伴う充填ケースの一方向の回転で粘性体の抵抗を受ける屈折羽根を突設するとともに、巻取筒の逆回転では抵抗を受けなく伏しうるよう揺動可能に設け、屈折羽根に粘性体の抵抗がかかる起動が、巻取筒の正回転時になされるように構成したことを特徴とする請求項１記載の網状ないし面状スクリーンの巻取り制動装置。
【発明の詳細な説明】
【技術分野】
【０００１】
この発明は、防虫網や映写幕、遮蔽幕などのスクリーンを収納枠から引き出すことができるとともに、その際にコイルスプリングに蓄積された弾力で巻き取って仕舞うことができるようにした装置における網状ないし面状スクリーンの巻取り制動装置に関する。
【背景技術】
【０００２】
防虫網や映写幕、遮蔽幕は、一般的に軸に巻き取って仕舞われ、巻き戻して（引き出して）張ることにより使用される。その手段として、スクリーンを張る枠組体の一端にそれを仕舞う収納枠が枠組みの一枠として設けられ、スクリーンの引き出し側の端に把手フレームが取り付けられ、それが枠組体に移動可能に内装される。また、巻き取りが自動的になされるようにするとともに、把手フレームを引くことによりスクリーンを張りに保持する必要から、収納枠には、スクリーンの巻取筒とそれが回転する中心軸との間にコイルスプリングが介在される巻取軸が内装される。
【０００３】
図８は、防虫網が張られる網窓について本出願人に係る従来例（特許文献１）を示したもので、網窓の枠組体Ｆの一端に収納枠８２を有し、その中に中心軸８４と巻取筒８６との間にコイルスプリング９１が介在されてなる巻取軸８０が内装され、巻取筒８６には、上中下の軸承ブロック８８，８９，９０が嵌着され、上部軸承ブロック８８と中間軸承ブロック８９との間において、中心軸８４にコイルスプリング９１が装着され、それが、上端では中心軸８４に留め金９２により固定され、下端では中間軸承ブロック８９に固定される。
【０００４】
防虫網９３は、把手フレーム９４でコイルスプリング９１の弾力に抗して引き出されるため、この際にコイルスプリング９１に蓄積された弾力（弾性エネルギー）により回転する巻取筒８６に防虫網９３が巻き取られる。コイルスプリング９１の効き方が弱いと巻取りが中途で止まったり、防虫網９３の閉じの状態に緩みが生じたりする不都合があり、また、コイルスプリング９１の効き方が強すぎると、防虫網９３が完全に閉じられなかったり、巻き取られる引っ込みが危ういまでに急速になるため、コイルスプリング９１の効き方を弱めたり強めたりする調整装置９６が収納枠８２の上端に設けられていた。
【０００５】
その調整装置９６については、中心軸８４と接続する中央歯車と、そのラチェットに掛かる爪付きのレバーとを設け、その他に中央歯車と噛み合う小径の駆動用副歯車（中央歯車の回転に倍力を得るため）と、レバーを付勢するピンばね等からなるもので、コイルスプリングの力を強めるときには中央歯車をその方向に回転し、弱めるときにはレバーの解除で中央歯車を適度なまで逆回転させるという構造になっていた。
【特許文献１】特願２００５−０４６９５０
【発明の開示】
【発明が解決しようとする課題】
【０００６】
しかしながら、上記のような従来のスクリーンの巻取り装置によれば、防虫網を体裁よく緊張して張ることや、仕舞い残りが生じないようにすることのために、コイルスプリングを強に調整すると、把手フレームを縦枠から放した時、突然のように急速に把手フレームが移動して危険に感じるという不都合があった。
【０００７】
この発明は、上記のような実情から、防虫網などのスクリーンを張るために引き出したときにコイルスプリングに蓄積された弾力でスクリーンを巻き取るようにした巻取り装置において、巻取りの速度を緩和するための制動装置を提供することを課題とした。
【課題を解決するための手段】
【０００８】
上記の課題を解決するために、この発明は、スクリーンを仕舞う収納枠にはスクリーンの巻取軸が内装され、その巻取軸は、スクリーンを巻き取る巻取筒と、その回転の中心軸との間にコイルスプリングが介在され、コイルスプリングの弾力に抗する中心軸に対する巻取筒の正回転によりスクリーンが引き出され且つ弾力に伴う逆回転により巻き取られるようになしてあって、その巻取軸に、コイルスプリングによる中心軸に対する巻取筒の逆回転の速度を制御する一方向制動装置が内装されていることを特徴とする網状ないし面状スクリーンの巻取り制動装置を提供するものである。
【０００９】
網状ないし面状スクリーンの巻取り制動装置を上記のように構成したから、収納枠に納まっているスクリーンを引き出すと、中心軸に対して巻取筒が回転することにより、コイルスプリングにスクリーンを巻き取る弾力が蓄積されるので、スクリーンを閉じた状態においてその閉じを解除すると、スクリーンがコイルスプリングの弾力で正回転して巻取筒に巻き取られる。しかし、この正回転には一方向制動装置によりブレーキが掛かるために、その制動によりスクリーンの巻取りの速度が緩和される。
【発明の効果】
【００１０】
以上説明したように、この発明によれば、スクリーンがコイルスプリングの弾力により回転する巻取筒に巻き取られるようにしたけれども、スクリーンの巻取りの速度が緩和されるために、危うく感じるほどにスクリーンが瞬間的に仕舞われるようなことはなく、安心して安全に使用でき、また、適度に強いコイルスプリングを使用することにより、スクリーンの仕舞い残りをなくする上に優れた効果がある。
【００１１】
加えて、請求項２および請求項３によれば、一方向制動装置の構造が簡単で確実に制動できる。
【発明を実施するための最良の形態】
【００１２】
図面は、この発明を網戸ないし網窓に実施した形態を示したものであるが、映写幕や遮蔽幕などについても同様に実施することがきる。
【００１３】
図１は、網窓のほゞ全体を示す一部切欠した正面図であって、その枠組体Ｆは、一端に縦枠として蓋５付きの収納枠１を有し、それに上下枠２，３が連結され、他端に縦枠４を有する。また、防虫網９の端に把手フレーム７が取り付けられ、それが上下枠２，３の双方に移動可能に係合される。さらに、収納枠１には、防虫網９の巻取軸１１が内装され、それが上端では調整装置１２に、下端では下部連結ブロック１５にそれぞれ支持され、この巻取軸１１に一方向制動装置Ｂａ（Ｂｂ又はＢｃ）が内装される。
【００１４】
一方向制動装置Ｂａには、ワンウエイクラッチ１８と、ロータリーダンパ２０とからなるものがまず挙げられるが（図２〜図５）、他に様々な形態がある（例えば図６のＢｂ、図７のＢｃ）。なお、上枠２と下枠３に対する収納枠１の連結は、調整装置１２を構成する後記部材と、連結ブロック１５によりそれぞれなされている。
【００１５】
調整装置１２については、従来例において説明したのが一例であり詳細な図面は省略する。ちなみにこれは、コイルスプリング２１の強弱を調整するためのもので、本発明は、常時（少なくとも一方向に）回転が固定されている中心軸１９に対するコイルスプリング２１による巻取筒１１ａの回転を制御するものであるから、その意味において調整装置１２は必ずしも要しないし、それを装備しても構造は様々となる。また、本実施形態では、調整装置１２に対して巻取軸１１を簡単に着脱できるように特に工夫した脱着装置を具備しており、そのため、巻取軸１１においては、中心軸１９が巻取筒１１ａに対して上下する構造になっている。これが本発明の実施形態の構造に影響はしているが、この中心軸１９の上下可能な構造は本発明に直接的には関係がない。したがって、中心軸１９が上下しない例えば従来例（図８）のような場合にも本発明の制動装置は有効に適用される。まず、図２ないし図５の制動装置Ｂａについて説明する。
【００１６】
図２は、巻取軸１１の断面構造を示し、その上端が調整装置１２の中央歯車１７との接続状態で示される。この状態では、中心軸１９がコイルスプリング２１の弾力に抗して中央歯車１７に回転しないよう固定されているために、この状態において、防虫網９がコイルスプリング２１の弾力に抗して引き出され、逆に、その弾力により巻き取って引き戻されるので、引き戻される際に制動装置Ｂａが働く。なお、図３は中央歯車１７と分離状態で巻取軸１１を示したものである。
【００１７】
巻取軸１１は、上下枠２，３の間の寸法よりもやゝ長い巻取筒１１ａと、中心軸１９と、コイルスプリング２１と、上端昇降軸装置２３と、下部軸受け２５と、下端軸２９付きの下端キャップ３０などから構成される他、前記した防虫網９の巻取り一方向制動装置Ｂａを具備している。そして、コイルスプリング２１が、上端では中心軸１９にリベット３２で固定され、下端では下部軸受け２５に嵌着固定されている。したがって、防虫網９が引き出され（巻き戻され）ると、中心軸１９に対する巻取筒１１ａの逆回転Ｑにより、コイルスプリング２１に弾力が蓄積され、把手フレーム７を解放すると、その弾力で防虫網９を巻き取る方向に巻取筒１１ａが正回転Ｐする。この巻取り正回転Ｐが一方向制動装置Ｂａにより制御される。また、防虫網９を引き出して把手フレーム７が磁石２７ａ，２７ｂの吸着で縦枠４に固定されていると、防虫網９が全面に緊張する。これに緩みがあると調整装置１２で修正することになる。
【００１８】
調整装置１２については、上記の如くこの発明の限りでは必ずしも必須のものではないが、中央歯車１７とのクラッチ面３９，４０接続において、中心軸１９は、中央歯車１７の回転とともに常時回転コイルスプリング２１に弾力を付与できるように、中央歯車１７の回転がラチェット逃げにより常時許容される構造となっているが、その逆の回転はラチェットで常時阻止されている。そして、ボタン操作でその逆の回転を徐々になし得るようにして、コイルスプリング２１の弾力が弱にも調整されるようになっている。制動装置Ｂａは、中心軸１９が上記の逆の回転阻止（調整装置１２が無いとき等には正逆回転阻止）の状態において発揮される。
【００１９】
上端昇降軸装置２３は、巻取軸１１の脱着を容易になし得るための構造であって、これも前記したように必須のものではないが、中心軸１９の上下を許容し得るよう制動装置Ｂａの構造に僅かに影響している点もあるので説明する。ちなみに、上端昇降軸装置２３が無いと制動装置Ｂａの構造が簡単となる。例えば、図８のような従来例のものには簡単に実施できる。
【００２０】
上端昇降軸装置２３の構造については、中央歯車１７とでクラッチを構成するもので、巻取筒１１ａの上端に嵌着される凹形の上端キャップ３１と、その凹部に落とし込まれる可動接続片３３と、落とし込みに抗するように働くコイルばね３５とから構成され、可動接続片３３は、中心軸１９の上端に嵌着されそれにリベット３７で固定される。また、コイルばね３５は、上端キャップ３１の中において中心軸１９に挿入され、上端で可動接続片３３を上方に付勢し得るように受けている。可動接続片３３は、上端面が噛合いクラッチ面３９に形成され、その中心には端末軸４１が突設され、端末軸４１の上端に、コイルスプリング２１を強になるよう中心軸１９を回転するためにドライバー溝４３が形成される。一方、調整装置１２の中央歯車１７の下面中心には下部軸３８が突設されその下端に前記クラッチ面３９と噛み合うクラッチ面４０が形成される。
【００２１】
したがって、巻取軸１１を取り外すときには、まず、それを持ち上げながら、コイルばね３５の弾力に抗して可動接続片３３を下げることにより、巻取軸１１を持ち上げて下端軸２９を下部連結ブロック１５から引き抜くことができ、取り付けるときには丁度逆の操作となる。
【００２２】
一方向制動装置Ｂａは、回転が固定されている中心軸１９に対して一方向の回転にのみ接続するワンウエイクラッチ１８と、それに接続軸２６で連結するロータリーダンパ２０とからなり、ロータリーダンパ２０は、巻取筒１１ａに一体に嵌着される下部盤２２と、接続軸２６と一体の上部盤２４との接合に伴う摩擦によるもので、コイルスプリング２１による巻取筒１１ａの巻取り正回転Ｐがあると、クラッチ接続で中心軸１９と共に回転が止まっている上部盤２４に対して、下部盤２２が回転してそれと一体の巻取筒１１ａの正回転Ｐが制動される。なお、下部盤２２と上部盤２４とにはそれぞれ摩擦面体２２ａ，２４ａが接着されている。
【００２３】
ワンウエイクラッチ１８は、ラチェットによるもので、ケーシング２８の高さ中途にそれと一体に内装基盤３０が嵌着され、その上に中心軸１９を中心に回転するラチェット車３４がベアリング３６ａ，３６ｂを介して上下不能に設けられ、また、内装基盤３０には、ラチェット車３４のラチェットにばね４２の弾力で係る揺動爪３６が軸支される。なお、ラチェット車３４の内周面には縦溝４２を設け、中心軸１９にはそれに上下可能に掛かるピン４４が突設される。したがって、中心軸１９に対してその上下位置にかかわらずラチェット車３４が常に一体回転するように固定される。
【００２４】
そこで、コイルスプリング２１の弾力により防虫網９を仕舞う巻き取る方向として巻取筒１１ａの正回転Ｐがあると（図５参照）、揺動爪３６がその回転方向Ｐに働くことからラチェット車３４に掛かることにより、中心軸１９に対して内装基盤３０ないし接続軸２６が固定されるから（図４参照）、接続軸２６と一体の上部盤２４に対して下部盤２２が回転し摩擦により巻取筒１１ａの正回転Ｐが制動される。逆に、防虫網９を引き出すときにそれに従い巻取筒１１ａが逆回転Ｑすると、揺動爪３６がその回転方向Ｑに働くためにラチェット車３４から逃げることから、接続軸２６の回転も自由となってそれと一体の上部盤２４が下部盤２２と一体に回転するので、その間に摩擦がなく、したがって、巻取筒１１ａの逆回転Ｑを伴う防虫網９の引き出しには抵抗が働かない。
【００２５】
図６は、他の実施形態による制動装置Ｂｂに係るもので、例えば前記のようなワンウエイクラッチ１８（これも様々な構造となる）に付属するロータリーダンパ２０について他の実施形態を示す。そのロータリーダンパ２０は、巻取筒１１ａに油類等の粘性体４６の充填ケース４７を一体に嵌着し、その中に前記したワンウエイクラッチ１８の接続軸２６（図４参照）と一体に回転する支軸２６ａを設け、それに羽根４８，４８を突設したもので、前記したようなワンウエイクラッチ１８の作用とも相まって、羽根４８，４８が粘性体４６の中を回動する抵抗により、前記と同じように巻取筒１１ａの正回転Ｐが制御される。
【００２６】
図７は、前記したようなワンウエイクラッチ１８を必要としなくロータリーダンパのみからなる制動装置Ｂｃを示す。それは粘性体５２の充填ケース５４を主体としたもので、それが巻取筒１１ａに一体に嵌着され、充填ケース５４には、中心軸１９と一体の支軸１９ａを中心に設け、支軸１９ａに屈折羽根５０，５０を揺動可能に軸支し、屈折羽根５０が、巻取筒１１ａと一体の充填ケース５４が正回転（Ｐ方向）すると、それと同調して動く粘性体５２の抵抗を受けて起動し、起動姿勢により抵抗を強く受けることにより、巻取筒１１ａの正回転Ｐが制動される。逆に、逆回転（Ｑ方向）すると、粘性体５２の抵抗を受けることにより伏し（二点鎖線）、この状態では抵抗を受けないので、巻取筒１１ａの逆回転Ｑは制動を受けないことになる。したがって、この場合は、ロータリーダンパのみにより制動装置１６が構成され簡単な構造となる。
【図面の簡単な説明】
【００２７】
【図１】この発明に係る網窓を示す一部切欠した正面図であって、制動装置Ｂａ，Ｂｂ，Ｂｃの位置を鎖線で示す図である。
【図２】同網窓における巻取軸が調整装置の中央歯車と接続する状態で巻取り制動装置Ｂａを示す縦断面図である。
【図３】同中央歯車との断絶状態で示す巻取軸の上端部縦断面図である。
【図４】同巻取り制動装置の縦断面図である。
【図５】図４のＡ−Ａ線矢視の拡大断面図である。
【図６】他の巻取り調整装置Ｂｂにおけるロータリーダンパの横断面図である。
【図７】他の巻取り制動装置Ｂｃを示す横断面図である。
【図８】従来例の説明図である。
【符号の説明】
【００２８】
Ｂａ，Ｂｂ，Ｂｃ  網状ないし面状スクリーンの巻取り制動装置
１  収納枠
９  スクリーンとしての防虫網
１１  巻取軸
１１ａ  巻取筒
１６  制動装置
１８  ワンウエイクラッチ
１９  中心軸
１９ａ  支軸
２０  ロータリーダンパ
２１  コイルスプリング
２６  接続軸
２６ａ  支軸
５０  屈折羽根
５２  粘性体
５４  粘性体の充填ケース
【図１】
2007231608.tif 000003
【図２】
2007231608.tif 000004
【図３】
2007231608.tif 000005
【図４】
2007231608.tif 000006
【図５】
2007231608.tif 000007
【図６】
2007231608.tif 000008
【図７】
2007231608.tif 000009
【図８】
2007231608.tif 000010